(57)【要約】２台以上の電子装置は、装置（１，３）の群（クラスタ）又は連なり（チェイン）を構築するバスシステム（５）を介して接続される。装置は、制御装置（１）を使用して選択され、選択された装置のためのユーザ・インタフェース（６）は、選択された装置に記憶され制御装置へ転送された記述データに基づいて生成される。制御装置のディスプレイには、一つのユーザ・インタフェースが表示され、少なくとも２台の装置（１，３）を同時に操作することが可能である。第１の装置のユーザ・インタフェースは、メイン・ユーザ・インタフェースとして表示され、第２の装置のユーザ・インタフェースは、第１の装置と組み合わせた第２の装置の操作のために必要な操作要素だけを含む縮小ユーザ・インタフェース（９）としてメイン・インタフェース内に表現される。
2004512768.tif 000002
【特許請求の範囲】
【請求項１】
装置（１，３）の群又は連なりを構築するバスシステム（５）を介して接続された２台以上のネットワーク装置間が設けられ、
装置は制御装置（１）を使用して選択され、
選択された装置のためのユーザ・インタフェース（６）は、選択された装置に記憶され制御装置へ転送された記述データに基づいて生成され、
ユーザ・インタフェースが制御装置のディスプレイに表示される、
ネットワーク装置間でデータを交換する方法であって、
少なくとも２台の装置（１，３）が単一のユーザ・インタフェースを用いて同時に操作され、
第１の装置のユーザ・インタフェースは、メイン・ユーザ・インタフェースとして表示され、
第２の装置のユーザ・インタフェースは、第１の装置と組み合わせた第２の装置の操作のために必要な操作要素だけを含む縮小ユーザ・インタフェース（９）としてメイン・ユーザ・インタフェース内に表現される、
ことを特徴とする方法。
【請求項２】
第１の装置を選択した後、ネットワーク内で可能性のある供給側装置及び受入側装置の少なくとも一つのリスト（８）がメイン・ユーザ・インタフェース内に表示され、
リストの中から供給側装置又は受入側装置として第２の装置を選択した後、第２の装置の縮小ユーザ・インタフェース（９）がメイン・ユーザ・インタフェース内に表現される、
請求項１記載の方法。
【請求項３】
受入側装置を含む第１のリストと供給側装置を含む第２のリストの二つの別々のリストが表示される、請求項２記載の方法。
【請求項４】
受入側装置と供給側装置を含む組合せリストが表示される、請求項２記載の方法。
【請求項５】
第１の装置の操作要素と第２の装置の操作要素が一つの共通操作要素に統合されている、請求項１乃至４のうち何れか一項記載の方法。
【請求項６】
データストリームの再生用の第１の装置の操作要素は、データストリームの記録用の第２の装置の操作要素と組み合わされる、請求項５記載の方法。
【請求項７】
第１の装置と第２の装置の間のストリームは、メイン・ユーザ・インタフェースから受入側装置又は供給側装置を選択することによりセットアップされ、
記録処理の全体はコピー操作を表すボタンを押すことにより開始される、
請求項６記載の方法。
【請求項８】
選択された装置は、メイン・ユーザ・インタフェースと、縮小受入側装置ユーザ・インタフェースと、縮小供給側装置ユーザ・インタフェースの３種類のユーザ・インタフェースを生成するための要素を提供する、請求項１乃至７のうち何れか一項記載の方法。
【請求項９】
ユーザ・インタフェースのパネルに対する識別データは、申込コマンドに応答して選択された装置によって提供される、請求項８記載の方法。
【請求項１０】
メイン・ユーザ・インタフェース用の第１の識別データ、縮小受入側装置ユーザ・インタフェース用の第２の識別データ、及び、縮小供給側装置ユーザ・インタフェース用の第３の識別データが提供される、請求項９記載の方法。
【請求項１１】
メイン・ユーザ・インタフェース用の第１の識別データだけが選択された装置によって提供され、
縮小受入側装置ユーザ・インタフェース用の第２の識別データ、及び、縮小供給側装置ユーザ・インタフェース用の第３の識別データは、第１の識別データの中の次の２個の値のような２個の相互に依存している値によって指定される、
請求項９記載の方法。
【発明の詳細な説明】
【０００１】
本発明は、ネットワーク装置間のデータ交換方法に係り、特に、ＩＥＥＥ１３９４バスを介して接続された２台のＨＡＶｉ装置間のデータ交換に関する。
【０００２】
〔背景〕
家庭用娯楽製品のネットワーク内で数台のＡＶ（映像・音声）装置を制御するため、いわゆるＨＡＶｉ（家庭内オーディオ・ビデオ相互運用）規格が開発された。この規格は、テレビジョン受像機、ビデオレコーダ、セットトップボックス、及び、その他の装置の制御、特に、デジタルオーディオ及びビデオストリームの交換の制御を規定する。装置は、多数のデジタルオーディオ及びビデオストリームを同時に伝送するために十分な容量を備えているＩＥＥＥ１３９４バス（例えば、ｉ．ＬＩＮＫ（登録商標）若しくはＦｉｒｅ−Ｗｉｒｅ（登録商標））を介して接続される。
【０００３】
ＨＡＶｉネットワークに追加される各装置は、その固有のアプリケーションおよびインタフェースソフトウェアを自動的にインストールし、システムによって自動的に登録されるので、他の装置は追加された装置の能力を知ることができる。最も一般的なＡＶ機能のいわゆるアプリケーション・プログラミング・インタフェースは標準化されている。更に、ＨＡＶｉネットワークシステム内の装置上の機能は、システム内のほかの装置から制御される。
【０００４】
ＨＡＶｉは、ユーザ・インタフェース（ＵＩ）の２種類の使用方法を規定する。両方の解決手法は、原理的に同じ形態で作用し、ネットワーク内の一方の装置（ターゲット）は、ＵＩ要素若しくは一種の完全なＵＩを表示装置（コントローラ）へ提供する。コントローラは、ＵＩ要素を描写するか、又は、完全なＵＩを実行する。第１のモードは、データ駆動型相互作用（ＤＤＩ）と呼ばれ、第２のモードは、ハブレットによるＵＩと呼ばれる。
【０００５】
ＤＤＩ−ＵＩの場合に、ネットワークの一部が図１に示されている。表示装置１及びコントローラ３は、ＩＥＥＥ１３９４バス５を介して接続される。ＩＥＥＥ１３９４ネットワークにおけるターゲット装置は、装置制御モジュール（ＤＣＭ）４を含み、装置制御モジュールは、ＵＩを作成するためネットワークにＤＤＩ要素を提供することができる。また、装置制御モジュールは、本来的にコマンドによって装置を制御することが可能である。
【０００６】
ＤＣＭはＨＡＶｉネットワーク内に登録されているので、ＤＤＩコントローラ２は、ＤＣＭ４に「申込」することができる。これは、ＤＤＩ要素をコントローラへ送信し、ＤＤＩ要素をユーザへ提示し、その後、これらのＤＤＩ要素に対するユーザのアクションをＤＣＭ内の本来的なコマンドへ変換するためにＤＤＩコントローラ２とＤＣＭ４との間で行われる相互作用の始まりである。
【０００７】
〔発明の概要〕
本発明の一つの目的は、２台以上の装置の同時操作を簡単化させるネットワーク装置間のデータ交換方法を開示することである。この目的は、請求項１に記載された方法によって達成される。
【０００８】
本発明は、以下の事実の認識に基づいている。上述のユーザ・インタフェースは、１台の装置をそのユーザ・インタフェースを用いて制御するために優れている。しかし、ＨＡＶｉ規格は、例えば、ビデオカメラからＶＣＲへビデオデータをコピーする場合のように、２台のＩＥＥＥ１３９４装置間でサービスをセットアップするためには十分でない。その理由は、ユーザが、一方で、ビデオカメラを再生し、他方でＶＣＲを記録モードに設定する、という二つのユーザ・インタフェースを取り扱わなければならないからである。
【０００９】
原理的に、本発明の方法によれば、少なくとも２台の装置は、単一のユーザ・インタフェースを用いて同時に操作され、第１の装置のユーザ・インタフェースは、メイン・ユーザ・インタフェースとして表示され、第２の装置のユーザ・インタフェースは、第１の装置と組み合わせた第２の装置の操作のために必要な操作要素だけを含む縮小ユーザ・インタフェースとしてメイン・インタフェース内に表現される。
【００１０】
本発明の方法の有利な更なる実施例は対応した従属請求項に開示されている。
【００１１】
以下、添付図面を参照して本発明の実施例を説明する。
【００１２】
〔実施例の説明〕
図２は、表示装置によって表示された本発明によるユーザ・インタフェースの説明図である。ユーザ・インタフェース６は、データ駆動型相互作用（ＤＤＩ）ターゲットの装置制御モジュール（ＤＣＭ）幾つかのデータ駆動型相互作用（ＤＤＩ）要素７を含む。また、データ駆動型相互作用コントローラ装置によって提供された供給側のソース装置若しくは受入側のシンク装置のリストを表す要素８が示されている。このような状況において、ソース装置は、データストリームを配信することができる装置を表し、シンク装置は、データストリームを受信することができる装置を表す。また、ある装置は、ソース装置とシンク装置を同時に兼ねることができる。例えば、ＶＣＲは、データストリームを再生し、データストリームを記録することが可能である。
【００１３】
更に、別の装置制御モジュールによって供給された縮小ユーザ・インタフェース９が表示される。この縮小ユーザ・インタフェース９は、後述のように生成される。ここで、一例として、制御装置はテレビジョン受像機であり、選択された装置はビデオカメラである。
【００１４】
最初に、テレビ受像機の前に居るユーザは、例えば、ビデオカメラを表現するアイコンをクリックすることによって、テレビ画面上でビデオカメラを選択する。その結果として、ユーザは、ビデオカメラを制御するためのメインパネルが与えられる。
【００１５】
コントローラの登録事項（レジストリ）走査によって、ユーザは、ビデオカメラ用としてネットワーク内で考えられ得るシンク装置及びソース装置を与えることができる。これにより、コントローラは、ビデオカメラ用ユーザ・インタフェース内に、シンク装置／ソース装置の一方若しくは両方の選択リストを表現することができる。シンク装置を含む第１のリストとソース装置を含む第２のリストの二つの別々のリストを表示することが可能である。或いは、シンク装置とソース装置を含む組合せリストを表示することも可能である。シンク装置／ソース装置は、テキスト形式でリストに掲載することが可能であり、或いは、対応したアイコンによって表示することも可能である。リストは、シンク装置／ソース装置のより詳細な事項を含み得る。したがって、例えば、ＭＰＥＧ２方式のオーディオ信号及びビデオ信号用のソース装置のような装置によって処理可能なデータストリームの種類が表示され得る。
【００１６】
例えば、リストの中からシンク装置としてデジタルＶＣＲを選択した場合、ビデオカメラとデジタルＶＣＲの間のＨＡＶｉ−ストリーム−セットアップは、コントローラによって行われる。更に、シンク装置の装置制御モジュール（ＶＣＲ）は、縮小ユーザ・インタフェースを提供し、この縮小ユーザ・インタフェースはメイン（ビデオカメラ）ユーザ・インタフェース内に描画され、シンク装置としての操作に必要なＶＣＲの要素、例えば、「録画」、「再生」、「一時停止」、「早送り」、及び、「巻戻し」のような要素だけにより構成される。
【００１７】
コントローラがそれ自体の要素をデータ駆動型相互作用ターゲットのユーザ・インタフェースに描画することを補助するため、データ駆動型相互作用ターゲットは、シンク／ソースの選択リスト用の代替要素と、これらの要素のための縮小ユーザ・インタフェース及び描画属性を提供する。
【００１８】
コントローラとターゲットの間の相互作用は、コントローラからターゲットへ送信された申込コマンドに応答して始まる。ターゲットは、このメッセージを送信したソフトウェア要素を記憶し、識別データ（ＩＤ）を返信する。コントローラは、コントローラの表示装置に描画するデータ駆動型相互作用要素の完全な内容を獲得するため、コマンドの引数としてこのＩＤを使用する。現行のＨＡＶｉ仕様に対し、データ駆動型相互作用ターゲットは、メイン・ユーザ・インタフェースを構築するための一つのルートパネルＩＤ（ＲｏｏｔＰａｎｅｌＩＤ）だけではなく、メインルートパネル（ＭａｉｎＲｏｏｔＰａｎｅｌ）用と縮小シンクパネル（ＳｉｎｋＰａｎｅｌ）用と縮小ソースパネル（ＳｏｕｒｃｅＰａｎｅｌ）用の３個のパネルＩＤ（ＰａｎｅｌＩＤ）を供給しなければならない。これらの３個のパネルは独立に指定することが可能である。しかし、メインルートパネル用のパネルＩＤだけを直接的に指定し、他の２個のパネルＩＤは、それぞれ、縮小シンクパネル及び縮小ソースパネルに対応することを指定してもよい。
【００１９】
更に、シンク装置及びソース装置のある種の機能は、組み合わせることが可能であり、例えば、ビデオカメラのユーザ・インタフェースの「再生」ボタンと、シンク装置のユーザ・インタフェースの「録画」ボタンは、１個の「コピー操作」ボタンで置き換えることが可能である。これにより、表示されたユーザ・インタフェースの明瞭さが増すだけではなく、装置の同時操作が簡単化される。この取り扱いのため、汎用ユーザ・インタフェースの「再生」ボタンは「ソース装置スタート」属性を備え、汎用ユーザ・インタフェースの「録画」ボタンは「シンク装置スタート」属性を備えていることが必要である。更に、「ソース装置スタート」属性及び「シンク装置スタート」属性は、ユーザ・インタフェースの全体の中で、２個以上のデータ駆動型相互作用要素に割り当ててはならない。汎用ユーザ・インタフェースにおいて、「停止」ボタンの代わりに「ソース装置ストップ」及び「シンク装置ストップ」を使用し、又は、「一時停止」ボタンの代わりに「ソース装置ポーズ」及び「シンク装置ポーズ」を使用することが可能である。
【００２０】
本発明は、バス接続された２台以上の電子装置、特に、ＩＥＥＥ１３９４バスを介して接続された２台以上のＨＡＶｉ準拠式装置を同時に操作するために使用可能である。
【図面の簡単な説明】
【図１】
データ駆動型相互作用ユーザ・インタフェースの場合のネットワークの一部の構成図である。
【図２】
本発明の方法によるユーザ・インタフェースを示す図である。
【国際公開パンフレット】
2004512768.tif 000003
2004512768.tif 000004
2004512768.tif 000005
2004512768.tif 000006
2004512768.tif 000007
2004512768.tif 000008
2004512768.tif 000009
2004512768.tif 000010
2004512768.tif 000011
2004512768.tif 000012
2004512768.tif 000013
2004512768.tif 000014
【国際公開パンフレット（コレクトバージョン）】
2004512768.tif 000015
2004512768.tif 000016
【国際調査報告】
2004512768.tif 000017
2004512768.tif 000018